(57)【要約】【課題】            照明器具の天井への施行性が向上し、さらに天井材と照明器具を支持する枠との間に隙間が生じることがない埋込形照明器具を提供することを課題とする。【解決手段】        照明器具の空孔支持部に、安定器付の照明器具を挿入支持する埋込形照明器具に関し、内部に光源を装着してなる照明器具のソケットホルダの外側面に、安定器を回動自在に配置し、同安定器の側面外形寸法は照明器具の横断面の外形寸法より小さく構成してある。さらに空孔支持部に照明器具を嵌入後、安定器を回動し得るように構成してある。【選択図】          図１
2005063873.tif 000002
【特許請求の範囲】
【請求項１】
照明器具の空孔支持部に、安定器付の照明器具を挿入支持する埋込形照明器具において、内部に光源を装着してなる照明器具のソケットホルダの外側面に、安定器を回動自在に配置し、同安定器の側面外形寸法は照明器具の横断面の外形寸法より小さく構成し、さらに空孔支持部に照明器具を嵌入後、安定器を回動し得るように構成したことを特徴とする埋込形照明器具。
【請求項２】
安定器の外側外形を円弧状に形成し、さらに安定器の側面一部に電源接続用の端子台を配置したことを特徴とする請求項１記載の埋込形照明器具。
【請求項３】
照明器具取り付け時に、安定器を含む照明器具の外形を円形状に構成し、同安定器を含む照明器具を、円形に形成した照明器具の空孔支持部に嵌入し支持するように構成ししたことを特徴とする請求項１及び請求項２記載の埋込形照明器具。
【請求項４】
安定器は縦長に形成し、照明器具の縦方向の中心に重量が近づくようにソケットホルダの外側面に支持したことを特徴とする請求項１乃至請求項３記載の埋込形照明器具。
【発明の詳細な説明】
【技術分野】
【０００１】
本発明は、埋込形照明器具の改良に関する。
【背景技術】
【０００２】
従来の埋込形蛍光灯器具は、例えば図６に示すように、ソケットホルダ１を有する照明器具２と、同照明器具２と接続して使用する安定器３と、照明器具２と安定器３を接続するフレキシブルパイプ４を有して構成した構造のものがある。
【０００３】
また他の構造として、図７に示すように、ソケットホルダ１を横端部に配置してなる照明器具２の上面に安定器３を支持するものが実施されている。
【特許文献１】特開平１１ー２７３４４６
【発明の開示】
【発明が解決しようとする課題】
【０００４】
しかし、上記した図６に示す構造の埋込形照明器具によると、照明器具を天井に施工する際に、照明器具と安定器を別々に天井の空孔支持部より照明器具を嵌入し、次ぎに安定器を嵌入し、かかる後両者をフレキシブルパイプで繋ぐ作業が必要となり、作業に時間を要し施工性が悪い問題があった。
また図７に示す構造の埋込形照明器具によると、照明器具の挿入を斜め方向から行う必要性が生じ、また比較的小さな寸法の安定器のみの対応となる欠点がある。
【０００５】
本発明は上記の課題を解決し、照明器具の天井への施工性が向上し、さらに天井材と照明器具を支持する枠との間に隙間が生じることがない埋込形照明器具を提供することを目的とする。
【課題を解決するための手段】
【０００６】
本発明は、上記の問題点を解決するために請求項１に記載の発明は、照明器具の空孔支持部に、安定器付の照明器具を挿入支持する埋込形照明器具に関する。また内部に光源を装着してなる照明器具のソケットホルダの外側面に、安定器を回動自在に配置し、同安定器の側面外形寸法は照明器具の横断面の外形寸法より小さく構成してある。
さらに空孔支持部に照明器具を嵌入後、安定器を回動し得るように構成してある。
【０００７】
請求項１に記載の発明によると、照明器具に安定器を支持した状態で、天井へ取付ることができ、施工性が大幅に向上する。
【０００８】
請求項２に記載の発明は、請求項１に記載の安定器の外側外形を円弧状に形成し、さらに安定器の側面一部に電源接続用の端子台を配置して構成してある。
【０００９】
請求項２に記載の発明によると、照明器具を天井に取り付ける施工に際に、安定器の横幅が小さく、照明器具に安定器を取り付けた状態で、施行作業を行うことができ、作業性が大幅に向上する。
【００１０】
請求項３に記載の発明は、照明器具取り付け時に、安定器を含む照明器具の外形を円形状に構成し、同安定器を含む照明器具を、円形に形成した照明器具の空孔支持部に嵌入し、支持するように構成してある。
【００１１】
請求項３に記載の発明によると、天井に形成する空孔支持部は、安定器を含む照明器具の横幅の最大でよく、照明器具と天井材との間に隙間が生じることがない。
【００１２】
請求項４に記載の発明は、請求項１乃至請求項３に記載の安定器は縦長に形成し、照明器具の縦方向の中心に重量が近づくようにソケットホルダの外側面に支持して構成してある。
【００１３】
請求項４に記載の発明によると、従来構造に比較し、照明器具の重量が偏らず天井の照明器具支持部の特定個所にかかることがなく分散される。
【発明の効果】
【００１４】
上記した埋込形照明器具によると、照明器具に安定器を支持した状態で天井に取り付けることができ施工性が大幅に向上し、さらに照明器具の重量の偏りが少なく照明器具と枠との間に隙間が生じることがない特別な効果がある。
【発明を実施するための最良の形態】
【００１５】
次に、本発明を実施するための最良の形態について説明する。
【実施例１】
【００１６】
以下、本発明を図面に基づき説明する。図１は本発明の一実施形態である埋込形の照明器具の枠と安定器ボックスの挿入状態を示す平面図で、図２は照明器具支持部に取り付けた枠体と安定器との関係を示す平面図である。図１及び図２において、１１は照明器具の空孔支持部１２に嵌着してなる円形状の枠体、１３は埋め込み型の照明器具であって、ソケットホルダ１４の下端に反射鏡１５を支持して構成してある。１６はソケットホルダの外側面に、回動自在に配置してなる安定器であって、図２に示すように、同安定器の側面外形寸法は照明器具の横断面の外形寸法より小さく構成してある。また安定器は、照明器具を枠体１１に嵌入後回動することにより、図２に点線で示すように、照明器具の横断面の外形寸法より大きくなるように構成してある。
【００１７】
また図２、図３、図４、図５に示すように、ソケットホルダの外側面に、回動自在に配置してなる安定器１６の外側外形を円弧状に形成し、さらに照明器具を含む安定器１６の外側外形を円弧状に形成してあるので、照明器具埋め込み方向に対して円形状の枠体１１とほぼ平行となる状態で嵌入可能となり、その後固定バネ等で容易に支持することができる。また安定器の側面一部に電源接続用の端子台１７に配置して構成してある。安定器の側面一部に電源接続用の端子台１７に配置して構成すると、天井内部において、照明器具と端子台１７の結線を容易に行うことができる。
【００１８】
また図２に示すように、照明器具の空孔支持部を円形に形成し、一方安定器を含む照明器具の横断面の外側形状を円形状に構成してある。安定器を含む照明器具の横断面の外側形状を円形状に構成することにより、照明器具埋め込み方向に対してほぼ平行となる状態で天井埋込穴に嵌入でき、さらに反射鏡の装着が可能な位置であれば、断面形状はそのままで長さを変えた形での複数の安定器に対応できる。
【００１９】
また安定器は縦長に形成し、照明器具の縦方向の中心に重量が近づくようにソケットホルダの外側面に支持して構成してある。このように構成すると、従来構造に比較し、照明器具の重量が偏りににくくなる。また安定器を構成する安定器ケースは図５に示すように外表面に放熱フィン２０を形成してある。
【００２０】
次ぎに上記した埋込形照明器具の取り付け作業について説明する。
1.照明器具に対して安定器が図２に示す実線の状態のとき、円形状の枠体１１に対して、安定器を含む照明器具を嵌入する。このとき、電源線は端子台に接続してある。
2.次に安定器１６を図２に示した点線の状態に回動する。
3.次にソケットホルダの下端に反射鏡１５を支持し、かかる後ソケットにランプを装着し、取り付け作業を終了する。
【図面の簡単な説明】
【００２１】
【図１】本発明の埋込形照明器具平面図。
【図２】図１における枠体と安定器の関係を示す平面図。
【図３】本発明に係る埋込形照明器具を天井に嵌入するときの正面図。
【図４】本発明に係る埋込形照明器具を天井に嵌入支持する過程を示す正面図。
【図５】本発明に係る安定器のケースの断面図。
【図６】従来の埋込形照明器具の正面図。
【図７】従来の他の埋込形照明器具の正面図。
【符号の説明】
【００２２】
１１  枠体
１２  空孔支持部
１３  照明器具
１４  ソケットホルダ
１５  反射鏡
１６  安定器
１７  端子台
２０  放熱フィン
【図１】
2005063873.tif 000003
【図２】
2005063873.tif 000004
【図３】
2005063873.tif 000005
【図４】
2005063873.tif 000006
【図５】
2005063873.tif 000007
【図６】
2005063873.tif 000008
【図７】
2005063873.tif 000009